(57)【要約】【課題】ワイヤー、板状材等の異物の不測の侵入による不正行為を防止することができる遊技機を提供する。【解決手段】取付枠体１０と、その取付枠体１０の開口部一側において、同取付枠体１０の枠内に配置された開閉ヒンジ機構５０によって開閉可能に装着された扉体３０と、を備える。取付枠体１０と扉体３０との少なくとも一方には、取付枠体１０と扉体３０との間の隙間を閉塞する隙間閉塞体４３が配設される。隙間閉塞体４３の一部には、開閉ヒンジ機構５０のヒンジ構成部材との干渉を避けるためのヒンジ用切欠部４５が形成される。ヒンジ構成部材の略全体がヒンジカバー部材８０によって覆われるとともに、そのヒンジカバー部材８０によって隙間閉塞体４３のヒンジ用切欠部４５が覆われる構成にしてある。【選択図】　　　　図２
2004141182.tif 000002
【特許請求の範囲】
【請求項１】
取付枠体と、その取付枠体の開口部一側において、同取付枠体の枠内に配置された開閉ヒンジ機構によって開閉可能に装着された扉体と、を備えた遊技機であって、
前記取付枠体と前記扉体との少なくとも一方には、前記取付枠体と前記扉体との間の隙間を閉塞する隙間閉塞体が配設され、
前記隙間閉塞体の一部には、前記開閉ヒンジ機構のヒンジ構成部材との干渉を避けるためのヒンジ用切欠部が形成され、
前記ヒンジ構成部材の略全体がヒンジカバー部材によって覆われるとともに、そのヒンジカバー部材によって前記隙間閉塞体のヒンジ用切欠部が覆われる構成にしてあることを特徴とする遊技機。
【請求項２】
請求項１に記載の遊技機であって、
開閉ヒンジ機構は、取付枠体に対し扉体を前方に変位しながら開放動作させるために、枠体側ヒンジ取付部と、扉側ヒンジ取付部との間に複数のアーム状のヒンジ部材が組み付けられて構成され、
ヒンジカバー部材は、前記複数のヒンジ部材の開閉動作を許容しながらこれら複数のヒンジ部材をそれぞれ収納保護するヒンジ収納空間を有して箱形状に形成されていることを特徴とする遊技機。
【発明の詳細な説明】
【０００１】
【発明の属する技術分野】
この発明は、コインを用いて遊技を行うスロットマシン、球を用いて遊技を行うパチンコ機、あるいはそれに類する遊技機に関する。
【０００２】
【従来の技術】
従来、取付枠体の開口部一側において、その枠内に配置された開閉ヒンジ機構によって扉体が開閉可能に装着される遊技機が知られている。
また、このような遊技機においては、取付枠体と扉体との間の隙間からワイヤー、板状材等の異物が不測に侵入され、不正行為（例えば、各種スイッチ類や装置類等が不正に操作される不正行為）が行われることを防止するため、取付枠体と扉体との少なくとも一方に隙間閉塞体を設けたものがある。この場合、取付枠体に対する扉体の開閉動作に支障をきたすことがないように、ヒンジ機構に対応する隙間閉塞体の部分にヒンジ用切欠部が形成されている（例えば、特許文献１参照）。
【０００３】
【特許文献１】
特開２００２−１０６２４０公報（第３−４頁、図９、１０）
【０００４】
【発明が解決しようとする課題】
ところで、ヒンジ機構に対応する隙間閉塞体の部分にヒンジ用切欠部が形成された従来のものにおいては、取付枠体と扉体との間の隙間から隙間閉塞体のヒンジ用切欠部を通してワイヤー、板状材等の異物が不測に侵入され、不正行為が行われる場合があった。
この発明の目的は、前記問題点に鑑み、ワイヤー、板状材等の異物の不測の侵入による不正行為を防止することができる遊技機を提供することである。
【０００５】
【課題を解決するための手段】
前記目的を達成するために、請求項１の発明に係る遊技機は、取付枠体と、その取付枠体の開口部一側において、同取付枠体の枠内に配置された開閉ヒンジ機構によって開閉可能に装着された扉体と、を備えた遊技機であって、前記取付枠体と前記扉体との少なくとも一方には、前記取付枠体と前記扉体との間の隙間を閉塞する隙間閉塞体が配設される。前記隙間閉塞体の一部には、前記開閉ヒンジ機構のヒンジ構成部材との干渉を避けるためのヒンジ用切欠部が形成される。前記ヒンジ構成部材の略全体がヒンジカバー部材によって覆われるとともに、そのヒンジカバー部材によって前記隙間閉塞体のヒンジ用切欠部が覆われる構成にしてある。
したがって、取付枠体と扉体との間の隙間が隙間閉塞体によって閉塞されるとともに、隙間閉塞体のヒンジ用切欠部がヒンジカバー部材によって覆われる。このため、取付枠体と扉体との間の隙間から隙間閉塞体のヒンジ用切欠部を通してワイヤー、板状材等の異物が不測に侵入されることが防止される。
また、開閉ヒンジ機構を構成するヒンジ構成部材の略全体がヒンジカバー部材によって覆われて保護される。このため、取付枠体に対する扉体の開閉動作時において、ヒンジ部材にものが当たったり、あるいはものが挟み込まれる不具合を防止することができる。
【０００６】
請求項２の発明に係る遊技機は、請求項１に記載の遊技機であって、開閉ヒンジ機構は、取付枠体に対し扉体を前方に変位しながら開放動作させるために、枠体側ヒンジ取付部と、扉側ヒンジ取付部との間に複数のアーム状のヒンジ部材が組み付けられて構成される。ヒンジカバー部材は、前記複数のヒンジ部材の開閉動作を許容しながらこれら複数のヒンジ部材をそれぞれ収納保護するヒンジ収納空間を有して箱形状に形成されている。
したがって、開閉ヒンジ機構を構成している枠体側ヒンジ取付部と、扉側ヒンジ取付部との間に組み付けられた複数のアーム状のヒンジ部材が箱形状のヒンジカバー部材のヒンジ収納空間に収納されて保護される。このため、取付枠体に対する扉体の開閉動作時において、複数のアーム状のヒンジ部材にものが当たったり、あるいは、ものが挟み込まれる不具合を防止することができる。
【０００７】
【発明の実施の形態】
この発明の実施の形態を図面にしたがって説明する。
図１は遊技機としてのスロットマシンの取付枠体に対し扉体が開放された状態を示す斜視図である。図２は取付枠体、扉体、開閉ヒンジ機構、隙間閉塞体及びヒンジカバー部材の関係を示す斜視図である。図３は隙間閉塞体のヒンジ用切欠部、開閉ヒンジ機構及びヒンジカバー部材の関係を示す説明図である。図４は取付枠体の一方の側枠板を取り外して側方から視た斜視図である。図５は取付枠体に対し扉体が閉じられた状態を示す平断面図である。
図１において、スロットマシン１は、その外側の箱体部分を構成する取付枠体１０と、その取付枠体１０の前開口部一側において、同取付枠体１０の枠内の上下部にそれぞれ配置された開閉ヒンジ機構５０によって開閉可能に装着された扉体３０と、を備えている。
【０００８】
取付枠体１０は、左右の両側枠板１１、１２、底枠板１３、上枠板１４及び背面板１５を備えて前方に開口する方形箱形状に形成され、その背面板１５の内壁面の上部高さ位置には、回胴回転装置２０が装着されている。周知のように、回胴回転装置２０は、複数（例えば、３つ）の回胴体２１（回転リール、回転ドラム等とも呼ばれる）を並列状に備えている。これら複数の回胴体２１の外周面には、それぞれ複数の図柄が表示されている。
また、取付枠体１０の底枠板１３上には、複数の回胴体２１の図柄が当たり図柄の組合せとなって停止したときに賞品としてのコインを払い出すためのコイン払出装置２３が装着されている。
また、取付枠体１０の一方の側枠板１１の内壁面には、複数の回胴体２１の駆動源をなす回胴モータ（ステッピングモータ）やコイン払出装置２３の払出モータ等を作動制御する制御基板が収納された制御基板ボックス２４が装着されている。
【０００９】
一方、扉体３０の所定位置には、回胴回転装置２０の複数の回胴体２１の図柄を透視可能な透し窓３１が形成されるとともに、その透し窓３１の上方には遊技演出等に関する図柄を変動表示するための表示面を有する前面に有する表示装置（例えば液晶パネル装置）３２が配設されている。
また、扉体３０の前側には、コイン投入口、作動レバー、ストップボタン、コイン受け皿、スピーカー等（図示しない）が配設されている。
【００１０】
前記した取付枠体１０と扉体３０との少なくとも一方には、取付枠体１０と扉体３０との間のヒンジ側の隙間を閉塞する隙間閉塞体４３が配設されている。
この実施の形態において、図１〜図４に示すように、取付枠体１０の一方の側枠板１１の内壁面の上端部から下端部にわたって上下方向に長尺でかつ剛性を有する金属板等よりなる補強部材４０が取り付けられている。この補強部材４０の上下部２箇所にはヒンジ装着部４２が形成されている。
また、補強部材４０の前端縁は、一方の側枠板１１の内壁面の前縁部に沿って延び、同補強部材４０の前端縁には横断面略Ｌ字状をなして取付枠体１０と扉体３０との間の隙間を塞ぐ隙間閉塞体４３が一体に折り曲げ形成されている。また、隙間閉塞体４３の上下部２箇所には、次に詳述する開閉ヒンジ機構５０のヒンジ構成部材（例えば、枠体側ヒンジ取付基板５２、調整台５３、第１のヒンジ部材５６等）との干渉を避けるためのヒンジ用切欠部４５がそれぞれ形成されている。
【００１１】
図２、図６及び図８に示すように、取付枠体１０の枠内の上下部にそれぞれ配置されて扉体３０を前方に変位しながら開放動作させるための上下の開閉ヒンジ機構５０は、複数のヒンジ構成部材としての枠体側ヒンジ取付基板５２、調整台５３、扉側ヒンジ取付基板６０、及び調整台５３と扉側ヒンジ取付基板６０との間に組み付けられた複数のアーム状の第１〜４のヒンジ部材５６、５８、６６、６８をそれぞれ備えて構成されている。
【００１２】
すなわち、図８に示すように、枠体側ヒンジ取付部としての枠体側ヒンジ取付基板５２は、取付枠体１０の補強部材４０の上下の両ヒンジ装着部４２にビス等によってそれぞれ固定状態で取り付けられている。枠体側ヒンジ取付基板５２には、ビスと前後方向の長孔によって調整台５３が前後方向に移動調整可能に固定されている。
調整台５３の前後部には第１の取付部５４と第２の取付部５５とが所定間隔を隔てて形成されている。そして、前側の第１の取付部５４には、長尺の第１のヒンジ部材５６が、その一端部において上下方向のピン５７を中心として前後方向に回動可能に組み付けられている。また、後側の第２の取付部５５には、短尺の第２のヒンジ部材５８が、その一端部において上下方向のピン５９を中心として前後方向に回動可能に組み付けられている。
【００１３】
一方、図８に示すように、扉体３０後面の吊り元側の上下部２箇所にはヒンジ装着部には、扉側ヒンジ取付部としての扉側ヒンジ取付基板６０がビス等によってそれぞれ固定状態で取り付けられている。これら扉側ヒンジ取付基板６０の左右部には、第３の取付部６１と第４の取付部６２とが所定間隔を隔てて形成されている。そして、図８に向かって上側（外側）の第３の取付部６１には、長尺な第３のヒンジ部材６６が、その一端部において上下方向のピン６７を中心として前後方向に回動可能に組み付けられている。
また、図８に向かって下側（内側）の第４の取付部６２には、短尺の第４のヒンジ部材６８が、その一端部において上下方向のピン６９を中心として前後方向に回動可能に組み付けられている。
【００１４】
長尺の第１のヒンジ部材５６と第３のヒンジ部材６６とは、その各中間部において互いに交差し、かつ連結ピン７０によって回動可能に連結されている。さらに、第１のヒンジ部材５６の先端部と第４のヒンジ部材６８の先端部とが連結ピン７１によって回動可能に連結され、第３のヒンジ部材６６の先端部と第２のヒンジ部材５８の先端部とが連結ピン７２によって回動可能に連結されている。
これによって、取付枠体１０に対し扉体３０が開閉ヒンジ機構５０によって前方に向けて開放されるときには、第１〜第４のヒンジ部材５６、５８、６６、６８が互いに伸ばされるようにして回動され、これによって扉体３０が前方に所定量だけ押し出されて変位されながら開放される。
また、開放された扉体３０が元の状態に閉じられるときには、図６に示すように、第１〜第４のヒンジ部材５６、５８、６６、６８が互いに折り畳まれるようにして回動され、これによって扉体３０が取付枠体１０の前面に引き込まれて変位されながら元の状態に閉じられるようになっている。
【００１５】
前記したように構成される上下の開閉ヒンジ機構５０の複数のヒンジ構成部材の略全体がヒンジカバー部材８０によって覆われるとともに、そのヒンジカバー部材８０によって隙間閉塞体４３の上下のヒンジ用切欠部４５が覆われるようになっている。
この実施の形態において、図２、図３、図６及び図８に示すように、ヒンジカバー部材８０は、第１〜第４のヒンジ部材５６、５８、６６、６８の開閉動作（伸縮動作）を許容しながらこれら第１〜第４のヒンジ部材５６、５８、６６、６８をそれぞれ収納保護するヒンジ収納空間８１を有して一側が開口する箱形状に形成されている。
【００１６】
すなわち、ヒンジカバー部材８０は、第１〜第４のヒンジ部材５６、５８、６６、６８を収納するヒンジ収納空間８１を隔てて上下に対向する上板部８３、下板部８４、及びこれら上板部８３と下板部８４の周縁部の一辺を除いて囲む囲い板部８７を有して一側が開口する箱形状に形成されている。
また、ヒンジカバー部材８０の上板部８３と下板部８４には、そのヒンジ収納空間８１の開口部の一側近傍において、隙間閉塞体４３の上下のヒンジ用切欠部４５を覆う切欠覆い部８８が上下部に膨出して形成されている。さらに、切欠覆い部８８には、取付片８５がそれぞれ折り曲げ状に形成されている。そしてヒンジカバー部材８０は、その両取付片８５において、ビス等によって扉体３０のヒンジ装着部近傍に固定状態で取り付けられている。
【００１７】
また、図１に示すように、扉体３０の後側面の自由端側（開閉ヒンジ機構５０が配設される側とは反対側）寄りには、取付枠体１０に対し扉体３０を閉じ状態に施錠する施錠部材３７を備えた施錠装置３５が組み付けられている。
施錠装置３５の施錠部材３７は、扉体３０の後側面に上下方向に移動可能に組み付けられ、常には、ばねによって施錠方向に付勢されている。そして、施錠部材３７には、取付枠体１０の閉止片に係脱可能に係合して取付枠体１０に対し扉体３０を閉じ状態に施錠する施錠フック３８が設けられている。なお、扉体３０の前側にはシリンダー錠３６が設けられ、そのシリンダー錠３６に鍵を挿入して所定の解錠方向に回動操作することで、施錠部材３７がばねの付勢力に抗して解錠方向に移動され、これによって、施錠フック３８が取付枠体１０の閉止片から外れて解錠され、取付枠体１０に対し扉体３０が開閉ヒンジ機構５０において開閉動作可能となっている。
【００１８】
この実施の形態に係る遊技機としてのスロットマシン１は上述したように構成される。したがって、図３、図５及び図６に示すように、取付枠体１０に対し扉体３０が閉じられた状態にあるときには、取付枠体１０と扉体３０との間のヒンジ側の隙間が隙間閉塞体４３によって閉塞されるとともに、隙間閉塞体４３のヒンジ用切欠部４５がヒンジカバー部材８０の切欠覆い部８８によって覆われる。このため、図６に示すように、取付枠体１０と扉体３０との間のヒンジ側の隙間から隙間閉塞体４３のヒンジ用切欠部４５を通してワイヤー、板状材等の異物Ｗが不測に侵入された場合、その異物Ｗは、ヒンジカバー部材８０（主としてヒンジカバー部材８０の切欠覆い部８８）によって止められ、これ以上奥側に異物Ｗが侵入されることが防止される。
この結果、異物Ｗの侵入によって、不正行為、例えば、各種スイッチ類や各種装置類等が不正に操作される不正行為が行われることを未然に防止することができる。
【００１９】
また、この実施の形態において、ヒンジカバー部材８０は、開閉ヒンジ機構５０の第１〜第４のヒンジ部材５６、５８、６６、６８の開閉動作を許容しながらこれら第１〜第４のヒンジ部材５６、５８、６６、６８をそれぞれ収納保護するヒンジ収納空間８１を有して箱形状に形成されている。
このため、ヒンジカバー部材８０によって第１〜第４のヒンジ部材５６、５８、６６、６８を収納して保護することができ、取付枠体１０に対する扉体３０の開閉動作時において、第１〜第４のヒンジ部材５６、５８、６６、６８にものが当たったり、あるいは、ものが挟み込まれる不具合を防止することができる。
【００２０】
なお、この発明は前記実施の形態に限定するものではない。
例えば、前記実施の形態においては、開閉ヒンジ機構５０が、複数のヒンジ構成部材としての枠体側ヒンジ取付基板５２、調整台５３、扉側ヒンジ取付基板６０、及び複数のアーム状の第１〜４のヒンジ部材５６、５８、６６、６８をそれぞれ備えて構成されている場合を例示したが、取付枠体１０に対し扉体３０を前方に変位させながら解放動作可能に支持する開閉ヒンジ機構であれば、どのような形式の開閉ヒンジ機構（例えば、スライド形式の開閉ヒンジ機構）であってもよい。
また、スロットマシン１以外の遊技機であっても採用することができる。
また、前記実施の形態においては、ヒンジカバー部材８０が扉体３０側に装着される場合を例示したが、取付枠体１０側にヒンジカバー部材を装着することも可能である。
さらに、ヒンジカバー部材は、開閉ヒンジ機構の複数のヒンジ構成部材を収納するヒンジ収納空間を有しかつ伸縮自在な蛇腹状に形成し、その一端部を取付枠体１０側に固定し、他端部を扉体３０側に固定してもよい。但し、この場合、ヒンジカバー部材の蛇腹部分は異物の侵入によって破損されにくい材質のものによって形成することが望ましい。
【００２１】
【発明の効果】
以上述べたように、この発明によれば、取付枠体と扉体との間の隙間を隙間閉塞体によって閉塞するとともに、隙間閉塞体のヒンジ用切欠部をヒンジカバー部材によって覆うことで、ワイヤー、板状材等の異物の不測の侵入による不正行為を防止することができる。
また、開閉ヒンジ機構のヒンジ構成部材の略全体をヒンジカバー部材によって覆って保護することもできる。
【図面の簡単な説明】
【図１】この発明の実施の形態に係る遊技機としてのスロットマシンの取付枠体に対し扉体が開放された状態を示す斜視図である。
【図２】同じく取付枠体、扉体、開閉ヒンジ機構、隙間閉塞体及びヒンジカバー部材の関係を示す斜視図である。
【図３】同じく隙間閉塞体のヒンジ用切欠部、開閉ヒンジ機構及びヒンジカバー部材の関係を示す説明図である。
【図４】同じく取付枠体の一方の側枠板を取り外して側方から視た斜視図である。
【図５】同じく取付枠体に対し扉体が閉じられた状態を示す平断面図である。
【図６】同じく取付枠体に対し扉体が開放された状態の開閉ヒンジ機構を拡大して示す平断面図である。
【図７】同じく取付枠体に対し扉体が開放された状態を示す平断面図である。
【図８】同じく取付枠体に対し扉体が開放された状態の開閉ヒンジ機構を拡大して示す平断面図である。
【符号の説明】
１　スロットマシン（遊技機）
１０　取付枠体
３０　扉体
４３　隙間閉塞体
４５　ヒンジ用切欠部
５０　開閉ヒンジ機構
５２　枠体側ヒンジ取付基板（枠体側ヒンジ取付部）
５３　調整台（枠体側ヒンジ取付部）
５４　第１の取付部
５５　第２の取付部
５６　第１のヒンジ部材
５８　第２のヒンジ部材
６０　扉側ヒンジ取付基板（扉側ヒンジ取付部）
６１　第３の取付部
６２　第４の取付部
６６　第３のヒンジ部材
６８　第４のヒンジ部材
８０　ヒンジカバー部材
８１　ヒンジ収納空間
８８　切欠覆い部
【図１】
2004141182.tif 000003
【図２】
2004141182.tif 000004
【図３】
2004141182.tif 000005
【図４】
2004141182.tif 000006
【図５】
2004141182.tif 000007
【図６】
2004141182.tif 000008
【図７】
2004141182.tif 000009
【図８】
2004141182.tif 000010